(57)【要約】【課題】都会にある自宅で手軽に田舎風の生活が楽しめる住宅の屋根構造を提供する。【解決手段】住宅の屋根構造Ｋであって、傾斜屋根ＤＲを備え、傾斜屋根ＤＲ上に人工草原Ｓが形成されてなるものである。人工草原Ｓには散策路Ｐや池Ｎが形成されたりしている。また、傾斜屋根ＤＲは傾斜角が異なる傾斜面を有している。平屋根ＦＲが併設された場合には、平屋根ＦＲにも人工草原Ｓが形成される。平屋根ＦＲの人工草原Ｓでは、バーベキューを楽しむことができ、これにより一層田舎風の生活を自宅で味わえる。【選択図】図１
2014070358.tif 000002
【特許請求の範囲】
【請求項１】
住宅の屋根構造であって、傾斜屋根を備え、前記傾斜屋根上に人工草原が形成されてなることを特徴とする屋根構造。
【請求項２】
傾斜屋根が、傾斜角が異なる傾斜面を有してなることを特徴とする請求項１記載の屋根構造。
【請求項３】
平屋根を併設して備え、前記平屋根上に人工草原が形成されてなることを特徴とする請求項１または２記載屋根構造。
【請求項４】
平屋根上に人工池が形成されてなることを特徴とする請求項３記載の屋根構造。
【請求項５】
人工草原に散策路が形成されてなることを特徴とする請求項１，２または３記載の屋根構造。
【請求項６】
地上から傾斜屋上に上る昇降手段が備えられてなることを特徴とする請求項１，２または３記載屋根構造。
【請求項７】
昇降手段が縄梯子とされてなることを特徴とする請求項６記載の屋根構造。
【請求項８】
人工草原から屋内への出入口が配設されてなることを特徴とする請求項１，２または３記載屋根構造。
【発明の詳細な説明】
【技術分野】
【０００１】
本発明は、屋根構造に関する。さらに詳しくは、自然環境を模した屋根構造に関する。
【背景技術】
【０００２】
近似、都会の緑の減少により、癒しを求めて田舎での生活を望む人が増加してきている。事実、第一線を退いた人が宮古島や伊豆半島などに移住する現象が起きてきている。
【０００３】
また、バブル経済の崩壊により別荘やリゾートマンションの価格も下落してきているところから、別荘やリゾートマンションを購入して週末を別荘やリゾートマンションで過ごす人も増えてきている。
【０００４】
しかしながら、育ち盛りの子供を抱える現役世代にあっては、田舎に移住して田舎での生活を楽しむことは望むべくもない。ましてや、別荘やリゾートマンションを所有して週末をそこで過ごすなどということは、夢のまた夢である。
【０００５】
そのため、都会にある自宅で手軽に田舎風の生活が楽しめる住宅の出現が待たれている。
【０００６】
なお、屋根の緑化に関しては、特許文献１に提案がなされている。
【先行技術文献】
【特許文献】
【０００７】
【特許文献１】特開２００２−２７２２５６号公報
【発明の開示】
【発明が解決しようとする課題】
【０００８】
本発明はかかる従来技術の課題に鑑みなされたものであって、都会にある自宅で手軽に田舎風の生活が楽しめる住宅の屋根構造を提供することを目的としている。
【課題を解決するための手段】
【０００９】
本発明の屋根構造は、住宅の屋根構造であって、傾斜屋根を備え、前記傾斜屋根上に人工草原が形成されてなることを特徴とする。
【００１０】
本発明の屋根構造においては、傾斜屋根が、傾斜角が異なる傾斜面を有してなるのが好ましい。
【００１１】
また、本発明の屋根構造においては、平屋根を併設して備え、前記平屋根上に人工草原が形成されてなるのが好ましい。
【００１２】
また、本発明の屋根構造においては、平屋根上に人工池が形成されてなるのが好ましい。
【００１３】
また、本発明の屋根構造においては、人工草原に散策路が形成されてなるのが好ましい。
【００１４】
また、本発明の屋根構造においては、地上から傾斜屋上に上る昇降手段が備えられてなるのが好ましい。
【００１５】
また、本発明の屋根構造においては、昇降手段が縄梯子とされてなるのが好ましい。
【００１６】
また、本発明の屋根構造においては、人工草原から屋内への出入口が配設されてなるのが好ましい。
【発明の効果】
【００１７】
本発明は前記の如く構成されているので、都会にある自宅で手軽に田舎風の生活が楽しめるという優れた効果を奏する。
【図面の簡単な説明】
【００１８】
【図１】本発明の実施形態１に係る屋根構造の平面図である。
【図２】同右側面図である。
【図３】同正面図である。
【図４】草原ユニットの概略図であって、同(ａ)は平面図を示し、同(ｂ)は断面図を示す。
【図５】本発明の実施形態２に係る屋根構造の平面図である。
【図６】本発明の変形例の図２相当図である。
【図７】本発明の他の変形例の図１相当図である。
【発明を実施するための形態】
【００１９】
以下、添付図面を参照しながら本発明を実施形態に基づいて説明するが、本発明はかかる実施形態のみに限定されるものではない。
【００２０】
実施形態１
図１〜図３に、本発明の実施形態１に係る屋根構造を示す。
【００２１】
屋根構造Ｋは、図１〜図３に示すように、平屋根ＦＲの横に傾斜屋根ＤＲを併設するとともに、屋根上に人工草原Ｓを形成してなるものとされる。
【００２２】
傾斜屋根ＤＲの下端は地上Ｇから乗り降りが容易になし得る高さとなるよう調整されている。なお、敷地の関係で傾斜屋根ＤＲの下端を地上Ｇから乗り降りが容易になし得る高さに設定できない場合には、梯子Ｈなどの昇降手段を設けるようにされてもよい。梯子Ｈを縄梯子とした場合には、田舎での野外生活をより一層模擬できるようになる。
【００２３】
屋根上に人工草原Ｓを形成する技術としては、公知の屋上緑化技術を好適に用いることができ、その手法に特に限定はない。
【００２４】
例えば、図４に示すように、適度の排水性を有する適当な深さの箱１に保水マット２を敷き、その上に肥料が混ぜられた土３を入れ、その土３に草を植えて草原ユニットＵを調整し、調整された草原ユニットＵを屋根上に敷き詰めることにより、人工草原Ｓを形成することができる。この場合、人工草原Ｓを形成した後に土が飛散するのを防止するための飛散防止ネット４を被せるのが好ましい。
【００２５】
植える草に花を咲かせるものを選定すると、屋根上が花の草原となり、蝶やその他の昆虫が集まるようになり、一層自然と触れ合うことができる。
【００２６】
このように、本実施形態によれば、庭の狭い都会の住宅でも田舎で草原を歩くような気分を味わうことができ、自宅で手軽に田舎風の生活を楽しむことができる。また、子供にとっては屋根上がよき遊び場となる。さらに、平屋根ＦＲの上に形成された人工草原Ｓでは、ピクニック気分で食事をしたり、バーベキューを楽しむこともできる。
【００２７】
実施形態２
図５に、本発明の実施形態２に係る屋根構造Ｋを示す。
【００２８】
実施形態２は実施形態１を改変してなるものであって、傾斜屋根ＤＲ上の人工草原Ｓに散策路Ｐを設けるとともに、平屋根ＦＲ上の人工草原Ｓに池Ｎを設けてなるものとされる。なお、その余の構成および作用・効果は実施形態１と同様とされている。
【００２９】
池Ｎにはメダカや金魚が泳ぐようにされてもよく、あいは水草が植えられてもよい。この池Ｎを設けることにより、トンボが飛来するようになり、またトンボの幼虫であるヤゴも生息するようになり、一層田舎の自然環境に近づけることができる。
【００３０】
このように、本実施形態によれば、池Ｎや散策路Ｐが設けられているので、より田舎に近い生活を味わうことができる。
【００３１】
以上、本発明を実施形態に基づいて説明してきたが、本発明のかかる実施形態のみに限定されるものではなく、種々改変が可能である。
【００３２】
例えば、実施形態では傾斜屋根ＤＲは単一の傾斜とされているが、上部と下部の傾斜が異なるようにされてもよい。例えば、図６に示すように、下部が急傾斜とされ、上部が緩傾斜とされてもよい。より具体的には、屋根勾配が４．５寸の下屋と２．５寸片流れ屋根との組み合わせからなるものとされて、田舎の丘陵地を模したようにされてもよい。
【００３３】
また、図６に２点鎖線で示すように、傾斜屋根ＤＲや平屋根ＦＲに、例えば、傾斜屋根ＤＲを利用したロフト収納ＬＥや傾斜屋根ＤＲの傾斜を利用した土間収納ＤＥが設けられるようにされてもよい。  その場合、図７に示すように、傾斜屋根ＤＲや平屋根ＦＲに屋内との出入口、例えばロフト収納ＬＥとの出入口Ｔが設けられるようにされてもよい。
【産業上の利用可能性】
【００３４】
本発明は住宅産業に適用できる。
【符号の説明】
【００３５】
Ｋ      屋根構造
Ｇ      地上
Ｓ      人工草原
Ｈ      梯子
Ｕ      草原ユニット
Ｐ      散策路
Ｎ      池
Ｔ      出入口
ＤＲ    傾斜屋根
ＦＲ    平屋根
ＬＥ    ロフト収納
ＤＥ    土間収納
１      箱
２      保水マット
３      土
４      飛散防止ネット
【図１】
2014070358.tif 000003
【図２】
2014070358.tif 000004
【図３】
2014070358.tif 000005
【図４】
2014070358.tif 000006
【図５】
2014070358.tif 000007
【図６】
2014070358.tif 000008
【図７】
2014070358.tif 000009